(57)【要約】      （修正有）【課題】  正逆両回転の両方の回転を一方向回転にして、両方の回転エネルギーを取り出すことを可能とする正逆回転伝達機構を提供する。【解決手段】  二個のワンウェイクラッチと歯車を組み合わせて、一方のワンウェイクラッチからは正回転を取り出して出力し、他方のワンウェイクラッチからは逆回転を取り出して出力する。これを互いに反対回転結合し、出力側は同一回転で回転結合してなる。更に本発明は、不規則ストロークの上下運動（例えば海の波）を円弧回転にして、効率的に一方向回転に変換することができる。【選択図】図１
2009127836.tif 000002
【特許請求の範囲】
【請求項１】
二つのワンウェイクラッチと歯車を使って正回転と逆回転の両方の回転を一方向の回転運動に変換する機構であって、双方のワンウェイクラッチを同一伝達方向に配置して、この入力軸は歯車を介して互いに反対回転結合し、出力軸側は同一軸で回転結合してなる正逆回転伝達機構。   
【請求項２】
二つのワンウェイクラッチと歯車を使って正回転と逆回転の双方の回転を一方向の回転運動に変換する機構であって、双方のワンウェイクラッチを互いに逆伝達方向に配置して、この入力軸は同一軸で回転結合し、出力軸は歯車を介して互いに反対回転結合してなる正逆回転伝達機構。
【請求項３】
歯車で反対回転結合される回転軸同士がワンウェイクラッチ内周輪に直列結合される本発明に於いては、この回転軸が中空であり、この中空内を貫通する固定軸にこの歯車の回転支軸を固定する請求項１及び請求項２記載の正逆回転伝達機構。
【請求項４】
入力軸に、円周方向に伸張する往復桿を具備する請求項１〜請求項３記載の正逆回転伝達機構。
【請求項５】
ピニオンラック構造の往復桿を入力軸に具備する請求項１〜請求項３記載の正逆回転伝達機構。
【請求項６】
入力軸を反対回転結合歯車に結合し、この入力軸に円周方向に伸張する往復桿を具備する請求項１及び請求項２記載の正逆回転伝達機構。
【請求項７】
入力軸にピニオンラック構造の往復桿を具備する請求項６記載の正逆回転伝達機構。
【請求項８】
往復桿に沿ってペダルがスライドして固定位置を可変する手段を有する請求項４及び請求項６記載の正逆回転伝達機構。
【請求項９】
入力軸と出力軸以外の内部構造の全体がケーシングされてなる請求項１〜請求項８記載の正逆回転伝達機構。
【発明の詳細な説明】
【技術分野】
【０００１】
本発明は回転軸に入力される正回転と逆回転の両方向の回転力を一方向回転に変換して、出力軸に回転出力する部品又はモジュールである。
【０００２】
そして、この回転入力軸に往復桿を取り付け、往復運動を正逆円弧運動を経て一方向の回転運動に変換する変換機構でもあり、往復運動を回転運動に変換する汎用部品又はモジュールとして機能する。
【背景技術】
【０００３】
現在、正逆両方向が不規則に変化する回転の回転力を、効率的に両方向共取り出す事を考慮したモジュール又は完成部品としての変換機構は存在していない。
【０００４】
正逆両方向の一方の回転だけを有効にする機構としてはワンウェイクラッチがあったが、これは文字通り一方の回転だけのエネルギーしか取り出す事が出来なかった。
【０００５】
このワンウェイクラッチを組み合わせて、正逆両方向から回転力を効率的に取り出す事は可能であるが、必要に応じ、その都度設計して個々に製作しなければならなかった。
【０００６】
正逆両方向の両方の回転エネルギーを一方向回転力として効率的に取り出せる、汎用的な部品、又はモジュールがあれば非常に便利であるが本発明はこれを実現するものである。
【０００７】
ところで、正逆方向の不規則な回転の両回転のエネルギーを高効率に取り出せると云うことは、不規則な波長の往復運動をも高効率に取り出せると云うことである。
【０００８】
不規則な波長の往復運動とは、つまり海水の波動等の、ストロークが一定しない上下運動であり、本発明はこのストロークが一定しない上下運動を効率的に回転運動に変換するものである。
【０００９】
波力発電はクリーンエネルギーとして期待されているが、ストロークが一定しない上下運動である波力エネルギーを高効率に取り出す事が出来ずに普及していなかった。
【００１０】
又、自転車に於いても脚の上下運動のエネルギーを高効率に取り出す事が出来ず、非効率であった。
【００１１】
従来に於いては、正逆両回転を取り出すために、正逆両回転のワンウェイクラッチを具備する乗り物が存在するが、足漕ぎ式の運動具又は移動具に特定したものであり、左右両足の漕力をチェーンで正逆回転のワンウェイクラッチを介して直接車輪に伝えている。（例えば特許文献１参照）
しかしこれは、チェーンの使用のみに特定され、汎用性が全く考慮されていな
【００１２】
【特許文献１】特開２００５−２８０６７１
【発明の開示】
【発明が解決しようとする課題】
【００１３】
本発明は正回転と逆回転がランダムに混在する様な回転や円弧運動を、従来の様にどちらか一方向だけの回転を取り出すのでは無く、両方の回転を一方向回転にして、両方の回転エネルギーを取り出す事を可能するものである、且つ汎用性のあるモジュール又は部品として使用する事が出来るようにしたものである。
更に、ストロークが一定しない上下運動や、人力による脚漕ぎ運動を高効率に回転運動又は円弧運動として効率的に取り出し、一方向の回転にするものである。
【課題を解決するための手段】
【００１４】
二個のワンウェイクラッチと歯車を組み合わせと云う最低限の部品構成で、回転と逆回転の両方の回転エネルギーを取り出す。
【発明の効果】
【００１５】
風向が一定しない風力による不規則回転や円弧運動を高効率に一定方向の回転運動に変換出来るので、コストパフォーマンスに優れた風力発電や波力発電が可能となる。
【００１６】
また、不規則なストロークの往復運動やを回転運動に高効率に変換する汎用部品として使用可能なので、建物等の微細な短周期振動から、地震波による地殻の巨大な長期振動まで、多方面の利用範囲が考えられる。 
【００１７】
更に、人力による往復力を高効率に回転エネルギーに変換して、発電や、自転車等による移動の効率化を計る事が出来る。
【発明を実施するための最良の形態】
【００１８】
二個のワンウェイクラッチを直列配置し、このワンウェイクラッチの外周輪に回転入力軸が結合され、内周輪に回転出力軸が結合されてなる本発明の実施例に於いて、両方向の回転エネルギーを一方向の回転エネルギーとして取り出す例について説明する。
【００１９】
尚、説明上、二個のワンウェイクラッチの区別のため、前置、後置、左置、右置と表現するが、必ずしも前後左右の関係を示すと云う訳ではない。
又、入力回転と説明するが、これは一回転以下の回転つまり円弧回転も含む。
本発明の実施に於いては、この円弧回転入力される事の方が多いと考えられる。
【００２０】
図１〜図３に於いて、前置ワンウェイクラッチ２００と後置ワンウェイクラッチ３００とは、互いに同一伝達方向に直列に配置され、双方の内周輪２２０、３２０同士は同一の出力軸５００で直接結合されている。
【００２１】
前置ワンウェイクラッチ外周輪２４０の前端には前置入力軸１１０結合されていて、この後端は傘歯車４１０〜４４０を介して後置ワンウェイクラッチ外周輪３４０に結合される。
これにより前置ワンウェイクラッチ外周輪２４０の回転が後置ワンウェイクラッチ外周輪３４０へ反対回転となって伝達される。
【００２２】
つまり、入力軸１００に正回転が伝達されると、前置ワンウェイクラッチ外周輪３２０にはそのまま正回転が伝わり、後置ワンウェイクラッチ外周輪３４０には逆回転が伝わるのである。
【００２３】
図２に於いて、前置ワンウェイクラッチ２００と後置ワンウェイクラッチ３００は、両方とも時計回転を伝達し、反時計回転は空転する様に直列配置されている。
【００２４】
以下の説明に於いて、軸方向Ａから見て時計回転を正回転と称し、反時計回転を逆回転と称す。
【００２５】
今、図２に示す様に、入力軸１００から正回転が回転入力されたとする。この正回転入力は前置ワンウェイクラッチ２００の外周輪２４０に伝わり、この回転は空転することなく内周輪２２０に伝達されてこれに結合された出力軸５００は正回転する。
【００２６】
この入力正回転は、傘歯車４１０〜４３０より反対回転に変換されて後置ワンウェイクラッチ３００の外周輪３４０に逆回転が伝達されるが、内周輪３２０へは空転のため、この逆回転が伝達しないので、出力軸５００には影響を与える事はない。
【００２７】
つまり、入力された正回転は前置ワンウェイクラッチ２００から出力軸５００に伝達され、後置ワンウェイクラッチ２００からはなにも伝達されない。
【００２８】
次に、図３に示す様に、入力軸１００から逆回転が回転入力されたとする。
この逆回転は前置ワンウェイクラッチ２００の外周輪２４０に伝達されるが、この内周輪２２０へは空転するため伝わらず、出力軸５００はに伝達されない。
そして入力されたこの逆回転は、傘歯車４１０〜４３０で反転されて後置ワンウェイクラッチ３００の外周輪３４０に正回転で伝わり、これが内周輪２２０に伝達し出力軸５００に伝達されるのである。
【００２９】
つまり、逆回転は前置ワンウェイクラッチ２００から出力軸５００へはなにも伝達されず、後置ワンウェイクラッチ２００から正回転が出力回転軸５００に伝達される。
【００３０】
上記説明した如く、正回転はそのまま出力回転軸５００に伝達され、逆回転は、傘歯車４１０〜４３０で正回転に変換されて、出力回転軸５００に伝達されるのであり、両方の回転エネルギーが出力回転軸５００に出力されるのである。
【００３１】
入力軸１００に回転が入力されない場合は、双方のワンウェイクラッチ２００、３００から何も伝達されず、且つ何の阻害もないので、出力軸５００の回転惰性で回転が継続するのである。
【００３２】
本発明の出力軸５００から、逆回転を取り出すには、本発明全体をそのまま中心線Ｃ−Ｃ７を線対称に反対向きにして、後置入力軸１２０から回転入力すれば、上記説明[００２４]〜[００３０]で正回転を逆回転に、逆回転を正回転に読み替えた同様の経緯で出力軸５００から逆回転が回転出力されるのである。
【００３３】
次に、図４〜図６に示す様に、前置ワンウェイクラッチ２００と後置ワンウェイクラッチ３００が、互いに逆伝達方向に直列配置した本発明の例に付いて説明する。
前置ワンウェイクラッチ２００は正回転を伝達し逆回転は非伝達で、後置ワンウェイクラッチ３００は逆回転を伝達し正回転は非伝達であるよう直列配置されていて、この後置ワンウェイクラッチ３００外周輪３４０に出力回転軸５５０が結合されている。
【００３４】
双方の内周輪２２０、３２０同士は同一の入力軸１００で直接結合されている。
前置ワンウェイクラッチ外周輪２４０の回転は、傘歯車４１０〜４４０を介して後置ワンウェイクラッチ外周輪３４０に反対回転が伝わる様に結合される。
【００３５】
今、図５に於いて、入力軸１００から正回転が回転入力されたとする。
この入力正回転は前置ワンウェイクラッチ２００の内周輪２２０に伝わり、そのまま外周輪２４０に伝達され、傘歯車４１０〜４４０を介して後置ワンウェイクラッチ３００の外周輪３４０に逆回転となって伝達され、これに結合した出力軸５５０が逆回転して出力されるのである。
【００３６】
この時、入力軸１００からの正回転は、後置ワンウェイクラッチ３００の内周輪３２０と外周輪３４０とが空転して伝達されないので、出力軸５５０の出力正回転に何ら影響を与えない。
【００３７】
次に、図６に示す様に入力軸１００から逆回転が回転入力されたとする。
この逆回転は、前置ワンウェイクラッチ２００の内周輪２２０から、外周輪２４０へは空転するため伝達されず、後置ワンウェイクラッチ３００の内周輪３２０から外周輪３４０へ空転することなく伝達され、これに結合した出力軸５５０も逆回転するのである。
【００３８】
この時、後置ワンウェイクラッチ３００の外周輪３４０から傘歯車を介して反対回転である正回転が前置ワンウェイクラッチ２００の外周輪２３０に伝達されるが、この正回転は内周輪２２０には空転するので伝達されず、入力回転軸１００に何ら影響を与えない。
【００３９】
上記説明は、傘歯車を外周輪側に取り付けた本発明について述べたものであるが、図６〜図１０に示す様に、反対回転結合のための傘歯車を内周輪側にする事も可能である。
【００４０】
内周輪の回転軸に、傘歯車で反対回転結合するする本発明の説明は、図６〜図１０を参照に[００２４]〜[００３７]の説明中の内周輪を外周輪に、外周輪を内周輪に又、正回転を逆回転に、逆回転を正回転に、それぞ読み替える事により、説明がなされる。
【００４１】
このような内周輪が歯車で反対回転結合される本発明に於いては、傘歯車の回転軸支持のため回転支持固定軸８００が、中空の回転軸内を貫通して外部に固定されるのである。
【００４２】
但しこの様な、内周輪の回転軸に、傘歯車で反対回転結合する本発明に於いては、この回転支持固定軸９００が回転の邪魔をして、全回転入力には適さず、円弧回転の入力時に適している。
【００４３】
本発明は先に述べた通り、「不規則なストロークの往復運動」を同一方向の回転運動に変換する機構としても有効であり、むしろこの用途としてが使用される事の方が多いと考えられる。
以下、「不規則なストロークの往復運動を回転運動に変換する機構」について述べる。  
【００４４】
図１０〜図１３は往復運動を入力するための往復桿１７０を入力回転軸１００に具備した本発明であり、人間の脚力が左右のペダル１７５Ｌ、１７５Ｒに伝達され、この足漕力が往復桿１７０を経て回転運動に変換される経緯についての説明を行う。   
【００４５】
この説明に於ける方向の説明は、視点Ａから見ての事であり、時計回転を正回転、反時計回転を逆回転と記する。
今、図１０に於いて、右ペダル７３５Ｒと左ペダル１７５Ｌには力が加わらず平衡状態にあり、往復桿１７０は水平を保っている。
【００４６】
この状況から、図１１に示す様に、左ペダル１７５Ｌに押し下げ力が印加され、ペダル１７５Ｒには引き上げ力が印加されたとすると、この力は往復桿    
１７０を介して入力回転軸１００に伝わり、矢印Ｄで示す様に逆回転に円弧回転する。
【００４７】
そしてこの逆回転の円弧回転は入力軸１００から回転入力され、上記説明の通り反対回転に変換されて回転出力軸５００に伝達され、この円弧回転力がフライホイール５９０に正回転畜力される。  
【００４８】
次に、図１２に示す様に、左ペダル１７５Ｌに引き上げ力が印加され、右ペダル１７５Ｒには押し下げ力が印加されたとすると、この力は往復桿１７０を介して入力回転軸１００に伝わり、矢印Ｅに示す様に正回転方向に円弧回転する。
この正回転方向の円弧回転は、そのまま正回転の円弧回転で出力回転軸５００に伝達され、この円弧回転力がフライホイール５９０に正回転畜力される。 
【００４９】
両方のペダル１７５Ｒ、１７５Ｌに力が加わらず回転桿１００が停止した際には回転入力軸１００は回転せず、回転出力軸５００にも影響を与えず、フライホイール５９０の正回転畜力で回転し続けるのである。
このペダル１７５Ｒ、１７５Ｌを図１３に示す様に往復桿に沿ってスライド移動可能にすれば、簡単に無段減速ギアが実現出来る。 
【００５０】
次に往復運動を入力するためにピニオンラック機構を用いる例について説明する。
図１４に於いて、回転入力軸１００にはピニオン８５０が具備されている。
このピニオン歯車８５０に、左ラック歯車８７０Ｌと右ラック歯車８７０Ｒが組み合わされ、更にこの両ラック歯車の上端部に左ペダル８７５Ｒ、右ペダル８７５Ｒが取り付けられる。
【００５１】
これにより、図１５に示すように、ラック歯車８７０Ｌが押し下げられると、右ラック歯車８７０Ｒは押し上げられる事になり、人間の足漕ぎ入力に最も適した「不規則なストロークの往復運動を回転運動に変換する機構」となる。
【００５２】
人間の足の上下運動を円弧回転に変換する際、従来の自転車漕ぎの様な方式が非効率である事はよく知られるところであり、このピニオンラック方式の本発明を自転車に応用すれば効率が従来自転車の２倍以上になると推察出来る。
【００５３】
本発明は歯車を介して反対回転を軸結合しているが、この歯車の回転軸から入出力する事が可能である。
図１６に於いては傘歯車の回転軸にペダル付き往復桿を具備している例である。
図１７に於いては傘歯車の回転軸にピニオンラック構造の往復桿を具備している例である。
【００５４】
本発明は二個のワンウェイクラッチを並列設置する構成に於いても同様な原理で作動する。 
以下図１８〜２０を用いワンウェイクラッチを並列設置した本発明に於いて、
入力軸１００から正逆両回転が入力され、出力軸５００から一方向回転が出力される経緯に付いて説明する。
以下の説明に於いて、左右方向、回転方向は視点方向Ａから見ての事であり、時計回転を正回転と称し、反時計回転を逆回転と称す。
【００５５】
図１８に於いて、左置ワンウェイクラッチ２００と右置ワンウェイクラッチ２００は双方共に正回転を伝達する様に並列配置されている。
【００５６】
左歯車４５０を有する入力回転軸１００はそのまま右置ワンウェイクラッチ２００の内周輪２２０に結合される。
左歯車４５０からの回転を反対回転に変換する右歯車４７０を介して右入力回転軸１２０は右置ワンウェイクラッチ３００の内周輪３２０に結合される。
【００５７】
双方の外周輪２４０と外周輪３４０にはそれぞれ外歯車２４５、３４５が取り付けられ、出力軸５００の出力歯車５７０に結合されている。
【００５８】
今、図１９に於いて入力回転軸１００に正回転が入力されたとする。
この正回転はそのまま、左置ワンウェイクラッチ２００の内周輪２２０に伝達され、これが外周輪２４０に伝達されて正回転する。
そして、この外周輪２４０に結合された外歯車２４５も正回転し、この回転が出力歯車５７５により反対回転に変換されて、出力軸５００は逆回転出力される。
【００５９】
この入力正回転は、左歯車４５０を介して右歯車４７０に反対回転で伝わり、この逆回転が右置ワンウェイクラッチ３００の内周輪３２０に伝達されるが、この逆回転は空転して外周輪３４０には伝達されないので出力軸には影響を与えないし、またこの出力軸５００の回転が右置ワンウェイクラッチ３００の内周輪３２０に影響を与える事もない。
【００６０】
次に、図２０に示す様に、入力軸１００から逆回転が回転入力されたとする。
この入力逆回転は、左歯車４５０を介して右歯車４７０に反対回転に変換されて正回転で伝わり、この正回転が右回転軸１２０から右置ワンウェイクラッチ３００の内周輪３２０に伝達され、外周輪３４０に伝わる。
【００６１】
そして、この外周輪３４０に結合された外歯車３４５も正回転し、この回転が出力歯車５７５により反対回転に変換されて、出力軸５００は正回転が出力さるのである。
【００６２】
この入力逆回転はそのまま左置ワンウェイクラッチ２００の内周輪２２０に伝わるが、この回転は外周輪２４０が空転するので、出力軸５００に伝達される事はない。又、出力軸５００の回転が左置ワンウェイクラッチ２００の内周輪２２０に伝わる事もない。
【００６３】
上記説明では、逆回転が出力される例であるが、正回転を出力したい場合には、この二個ワンウェイクラッチの双方共に逆回転伝達方向に並列設置すればよい。
【００６４】
次に、二個のワンウェイクラッチを互いに逆回転伝達方向に並列設置し、入力軸は同一軸で回転結合し、回転出力軸は歯車を介して互いに逆回転するよう結合してなる図２１〜図２３の例を説明する。
【００６５】
図２１に於いて、右置ワンウェイクラッチ２００は正回転を、左置ワンウェイクラッチ３００は逆回転を伝達する様に並列配置されていて、入力軸１００は左置外歯車２４５を介して右置外歯車３４５と直接噛み合っている。
左内周輪２２０は左内周輪軸歯車２２５と出力歯車５７０を介して出力軸５００に回転結合される、右内周輪３２０は左置出力歯車３２５と出力歯車５７０を介して出力軸５００に回転結合される。
【００６６】
今、図２２に於いて、入力軸１００に正回転が回転入力されたとする。
この正回転入力はそのまま左ワンウェイクラッチ２００の外周輪２４０に伝達され、空転することなく内周輪２２０に伝達し、これに結合された左置出力歯車２２５を介してで反対回転に変換され出力軸５００に出力される。
【００６７】
この入力軸１００からの正回転は右外歯車３４５を介して反対回転が伝達されるが、この内周輪３２０へは空転のため伝達されない。
また、出力歯車５７０から右出力歯車３２５を介して右内周輪３２０へ出力回転が伝達されるが、これも空転のため右外周輪３４０へはなにも影響を与えないので、入力された正回転は左ワンウェイクラッチを介してのみ出力軸５００へ伝達されるのである。
【００６８】
次に、この入力軸１００からの逆回転が入力されたとする。
この逆回転は入力軸歯車１０５から右外歯車３４５を介して右外外周輪３４０へ伝達され、空転することなく、内周輪３２０へ伝達され、これに結合された右置出力歯車３２５から出力軸歯車５７０を介して出力軸５００へ伝達されるのである。
【００６９】
この入力軸１００からの逆回転はそのまま左外周輪２４０に伝達されるが、この左内周輪３２０へは空転のため伝達されない。
また、出力歯車５７０から左出力歯車２２５を介して右内周輪３２０へ出力回転が伝達されるが、空転のため右外周輪３４０へはなにも影響を与えないので、入力された正回転は左ワンウェイクラッチを介してのみ出力軸５００へ伝達されるのである。
【００７０】
図２１に示す構成に於いては、出力軸から逆回転が出力されるのであるが、力軸から正回転を出力したい場合は、入力軸をこの説明とは反対側のワンウェイクラッチに結合するか、左置ワンウェイクラッチと右置ワンウェイクラッチを入れ替えるかすればよい。
【００７１】
本発明のワンウェイクラッチの伝達方向の組み合わせの基本は
双方のワンウェイクラッチが同一回転方向に結合された軸は出力軸
双方のワンウェイクラッチが反対回転方向に結合された軸は入力軸    
となる。
【００７２】
ところで、本発明に於いては二個ワンウェイクラッチの一方の回転が伝達している際には他方は空転していて、無駄なエネルギーを空費していて、非効率に思いがちだが、この空転は文字通り無負荷状態の空転なので、このエネルギー空費量は非情に小さいのである。
因みにこのエネルギー空費は歯車の摩擦とワンウェイクラッチの空転摩擦であり、殆ど無視しても差し支えない。
【図面の簡単な説明】
【００７３】
【図１】同一伝達方向直列配置の斜視図
【図２】//               正回転の回転伝達を示す上面図
【図３】逆方向の回転伝達を示す上面図
【図４】反対伝達方向直列配置の正回転の回転伝達を示す上面図
【図５】//               逆回転の回転伝達を示す上面図
【図６】傘歯車を内周輪に有する斜視図
【図７】図６の上面図−１
【図８】図６の上面図ー２
【図９】図６の上面図ー３
【図１０】図６の上面図ー４
【図１１】ペダルを有する往復桿を入力軸に取り付けた斜視図−１
【図１２】ペダルを有する往復桿を入力軸に取り付けた斜視図−２
【図１３】ペダルを有する往復桿を入力軸に取り付けた斜視図−３
【図１４】ペダルを有する往復桿を入力軸に取り付けた斜視図−４
【図１５】ピニオンラックを入力軸に取り付けた斜視図−１
【図１６】ピニオンラックを入力軸に取り付けた斜視図−２
【図１７】傘歯車の入力軸にペダルを有する往復桿を取り付けた斜視図
【図１８】傘歯車の入力軸にピニオンラックを取り付けた斜視図
【図１９】同一伝達方向並列配置の斜視図
【図２０】//             の正回転の回転伝達を示す上面図
【図２１】//             の逆方向の回転伝達を示す上面図
【図２２】反対伝達方向並列配置の斜視図
【図２３】//             の正回転の回転伝達を示す上面図
【図２４】//             の逆方向の回転伝達を示す上面図
【符号の説明】
【００７４】
５０    筐体      
１００    入力軸
１０５    入力軸歯車
１１０    前置（左置）入力軸
１１５    前置（左置）入力軸歯車
１２０    後置（右置）入力軸
１２５    後置（右置）入力軸歯車
１７０    往復桿
１７５Ｒ  左ぺダル
１７５Ｌ  右ぺダル
２００    前置（左置）ワンウェイクラッチ
２２０    前置（左置）ワンウェイクラッチの内周輪
２２５    左置内周輪軸歯車
２４０    前置（左置）ワンウェイクラッチの外周輪
２４５    左置外歯車
３００    後置（右置）ワンウェイクラッチ
３２０    後置（右置）ワンウェイクラッチの内周輪
３２５    右置内周輪軸歯車
３４０    後置（右置）ワンウェイクラッチの外周輪
３４５    右置外歯車
４１０    前置（左置）歯車
４２０    後置（右置）歯車
４３０    傘歯車
５００    出力軸
５７０    出力軸歯車
５９０    フライホイール
８５０    ピニオン
８７０Ｒ  左ラック歯車
８７０Ｌ  右ラック歯車
９００    歯車固定支軸
Ａ    視覚方向
ｋ    キー溝固定
【図１】
2009127836.tif 000003
【図２】
2009127836.tif 000004
【図３】
2009127836.tif 000005
【図４】
2009127836.tif 000006
【図５】
2009127836.tif 000007
【図６】
2009127836.tif 000008
【図７】
2009127836.tif 000009
【図８】
2009127836.tif 000010
【図９】
2009127836.tif 000011
【図１０】
2009127836.tif 000012
【図１１】
2009127836.tif 000013
【図１２】
2009127836.tif 000014
【図１３】
2009127836.tif 000015
【図１４】
2009127836.tif 000016
【図１５】
2009127836.tif 000017
【図１６】
2009127836.tif 000018
【図１７】
2009127836.tif 000019
【図１８】
2009127836.tif 000020
【図１９】
2009127836.tif 000021
【図２０】
2009127836.tif 000022
【図２１】
2009127836.tif 000023
【図２２】
2009127836.tif 000024
【図２３】
2009127836.tif 000025
【図２４】
2009127836.tif 000026